(57)【要約】  同一構成のソケットに、動作する直流電圧が異なるいずれの機器に接続する電源プラグであっても差し込み接続できる直流給電システムを提供する。  ソケットに、ｍ（ｍは、３から始まる自然数）本のソケットコンタクトを配置し、低圧側となるｎ番目（ｎは、１からｍ−１までの自然数）と高圧側となるｎ＋１番目のソケットコンタクトの間に、それぞれ直流電圧Ｖｎを印加し、ｎ番目のソケットコンタクトとｎ＋ｋ（ｋは、１からｍ−ｎまでの自然数）番目の一対のソケットコンタクトに接触する一対のプラグコンタクトを介して直流負荷に、【数１】2019021343.tif 000019の直流電圧の直流電源を給電する。
2019021343.tif 000002
【特許請求の範囲】
【請求項１】
直流負荷に接続する少なくとも一対のプラグコンタクトを有する電源プラグと、
前記プラグコンタクトを挿抜自在に案内するプラグ挿入孔に、直流電源に接続するソケットコンタクトを臨ませたソケットとからなり、
前記一対のプラグコンタクトがそれぞれ接触する一対のソケットコンタクトに印加される直流電圧の直流電源を、前記一対のプラグコンタクトが接続する直流負荷に給電する直流給電システムであって、
ソケットは、ｍ本（ｍは、３から始まる自然数）のソケットコンタクトと、
ｍ本の全てのソケットコンタクトについて、ｎ番目（ｎは、１からｍ−１までの自然数）のソケットコンタクトとｎ＋１番目のソケットコンタクトの間に、それぞれｎ番目のソケットコンタクトを低圧側と、ｎ＋１番目のソケットコンタクトを高圧側とする直流電圧Ｖｎを印加するｍ−１種類の直流電源とを備え、
ｎ番目のソケットコンタクトとｎ＋ｋ番目（ｋは、１からｍ−ｎまでの自然数）の一対のソケットコンタクトにそれぞれ接触する一対のプラグコンタクトを介して、直流負荷に、
【数１】
2019021343.tif 000016
の直流電圧の直流電源を給電することを特徴とする直流給電システム。
【請求項２】
ｍ−１種類の直流電源から給電される直流電圧Ｖｎは、同一の直流電圧Ｖｃであることを特徴とする請求項２に記載の直流給電システム。
【請求項３】
【数１】
2019021343.tif 000017
の直流電圧が印加される一対のソケットコンタクトを、それぞれ、その直流電圧に一義的に対応する間隔でソケットに形成する一対の前記プラグ挿入孔に臨ませることを特徴とする請求項１又は請求項２に記載の直流給電システム。
【請求項４】
【数１】
2019021343.tif 000018
の直流電圧が印加される一対のソケットコンタクトを、それぞれ、その直流電圧に比例する間隔でソケットに形成する一対の前記プラグ挿入孔に臨ませることを特徴とする請求項３に記載の直流給電システム。
【請求項５】
ｍ本のソケットコンタクトをそれぞれ臨ませるｍ個のプラグ挿入孔を、低圧側から高圧側のソケットコンタクトの順で同一直線上にソケットに形成し、
隣り合うｎ番目のソケットコンタクトを臨ませるプラグ挿入孔と、ｎ＋１番目のソケットコンタクトを臨ませるプラグ挿入孔の間隔を、ｎ番目のソケットコンタクトとｎ＋１番目のソケットコンタクトの間に印加される直流電圧Ｖｎに比例する間隔としたことを特徴とする請求項４に記載の直流給電システム。
【請求項６】
ｎ番目のソケットコンタクトとｎ＋１番目のソケットコンタクトの間に印加される直流電圧Ｖｎは、１５Ｖ以下であり、
電源プラグは、一対のｎ番目のソケットコンタクトとｎ＋ｋ番目のソケットコンタクトの間のｎ＋１番目からｎ＋ｋ−１番目のｋ−１本のソケットコンタクトにそれぞれ接触し、一対のプラグコンタクトのいずれか一方に接続するｋ−１本のダミープラグコンタクトを有し、
一対の低圧側プラグコンタクトをｎ番目のソケットコンタクトへ接触させた後、ｎ＋１番目からｎ＋ｋ番目のソケットコンタクトに、ｋ−１本のダミープラグコンタクトと一対の高圧側プラグコンタクトを順に接触させることを特徴とする請求項１乃至請求項５のいずれか１項に記載の直流給電システム。
【請求項７】
ｎ番目のソケットコンタクトとｎ＋１番目のソケットコンタクトの間に印加される直流電圧Ｖｎは、１２Ｖであることを特徴とする請求項６に記載の直流給電システム。
【請求項８】
一対のプラグコンタクトとダミープラグコンタクトを、ソケットのソケットコンタクトに接触する順にソケットとの接続方向に突出させたことを特徴とする請求項６又は請求項７のいずれか１項に記載の直流給電システム。
【発明の詳細な説明】
【技術分野】
【０００１】
本発明は、異なる直流電圧で動作する直流機器に、共通のソケットから直流電源を給電する直流給電システムに関する。
【背景技術】
【０００２】
家電など多くの民生用電気機器は、商用交流電源線に接続するコンセントに電源プラグを差し込み、交流電源の給電を受けて動作しているが、パーソナルコンピュータ、スマートフォンなどの携帯通信機器は直流電源で動作し、このような機器には、機器の定格直流電圧を出力するＡＣアダプターを機器毎に用意し、ＡＣアダプターの電源プラグをコンセントに接続して、交流電源を機器へ定格直流電圧の直流電源にＡＣ／ＤＣ変換し、機器に直流電源を給電している。【０００３】
また、近年、太陽光発電、ＥＶ（電気自動車）のＤＣバッテリーを備えた直流電源設備が普及し、一般住宅内にも直流電源を配電するソケットを設置し、ソケットに電源プラグを差し込んだ電気機器に直接直流電源を給電する直流給電システムが検討されている。しかしながら、交流電源で動作する種々の電気機器が共通する商用交流電源の１００Ｖ若しくは２００Ｖで動作するのと異なり、直流電源で動作する機器は、例えば、ＵＳＢ接続の直流５Ｖ、１２Ｖ、２４Ｖ、４８Ｖ等の異なる直流電圧で動作するので、給電する直流電源の直流電圧毎に多種類のソケットを配置する必要があり、これらのソケットを共通する同形状とすると、ソケットで給電する直流電圧と異なる電圧で動作する機器の電源プラグを誤接続する恐れがある。【０００４】
そこで、共通するソケットから異なる直流電圧の直流電源を配電する直流給電システムにおいて、ソケットで給電する直流電圧と異なる電圧で動作する機器に接続する電源プラグがソケットに差し込まれることを防止する直流給電システム１００が特許文献１により提案されている。【０００５】
以下、この直流給電システム１００を、図１０と図１１を用いて説明すると、多数のソケット１０１には、それぞれ異なる直流電圧を出力する図示しないＤＣ／ＤＣコンバータが接続され、電源プラグを差し込むプラグ挿入孔１０２内にＤＣ／ＤＣコンバータから直流電圧が印加される刃受け金具１０３が臨んでいる。ソケット１０１に差し込む電源プラグの嵌合形状は、その電源プラグに接続する機器の直流動作電圧によって異なり、一方、ソケット１０１のプラグ挿入孔１０２の周囲の凹溝１０４で形成される嵌合形状は、多種類のいずれの電源プラグも嵌合接続可能な共通する形状となっている。【０００６】
ソケット１０１内には、ＤＣ／ＤＣコンバータから直流電圧が印加される一対の刃受け金具１０３の直流電圧を検出し、検出した直流電圧に応じて異なる組み合わせで、凹溝１０４内に出没自在配置される４本のピン１０５を出没制御する制御部１０６が配置されている。【０００７】
これにより、一対の刃受け金具１０３に印加される直流電圧と異なる直流電圧で動作する機器に接続する電源プラグが、ソケット１０１へ差し込まれようとすると、凹溝１０４内に突出するピン１０５が電源プラグの嵌合部に当接して差し込むことができず、誤接続が防止される。
【先行技術文献】
【特許文献】
【０００８】
【特許文献１】特開２０１３−１２５６４１号公報
【発明の概要】
【発明が解決しようとする課題】
【０００９】
特許文献１の直流給電システム１００は、同一の嵌合形状とした共用のソケット１０１で、多種類の電源プラグのいずれも差し込み接続自在としているが、個々のソケット１０１毎に一対の刃受け金具１０３を異なる直流電圧を出力する直流電源に接続する必要があり、多種類の異なる直流電圧で動作する機器に共通して直流電源を給電するソケット１０１としては利用することはできない。【００１０】
また、直流電圧が異なるソケット１０１と電源プラグ間の誤接続を防止するために、直流給電システム１００では、一対の刃受け金具１０３の直流電圧を検出する検出回路、検出した直流電圧に応じて４本のピン１０５を出没制御する制御部１０６、４本のピン１０５を凹溝１０４内で出没させるソレノイドなどの駆動手段等の複雑な回路や機構を設ける必要がある。【００１１】
更に、ソケット１０１の刃受け金具１０３と電源プラグとプラグコンタクトを接続させて、電源プラグが接続する機器へ１５Ｖを越える直流電圧の直流電源を給電しようとすると、刃受け金具１０３とプラグコンタクトが近接する際に両者の間にアーク放電が発生する頻度が急激に上昇し、アーク放電による接触部の損傷が生じたり、ノイズが機器の回路に伝達される恐れがあった。【００１２】
本発明は、このような従来の問題点を考慮してなされたものであり、同一構成のソケットに、動作する直流電圧が異なるいずれの機器に接続する電源プラグであっても差し込み接続できる直流給電システムを提供することを目的とする。【００１３】
また、同一構成の共用のソケットに対して、動作する直流電圧が異なるいずれの機器に接続する電源プラグも誤接続することなく、一対のソケットコンタクトから機器が動作する直流電圧の直流電源を給電する直流給電システムを提供することを目的とする。【００１４】
更に、電源プラグのプラグコンタクトがソケットのソケットコンタクトに近接する瞬間に発生するアーク放電の発生頻度を低下させる直流給電システムを提供することを目的とする。
【課題を解決するための手段】
【００１５】
上述の目的を達成するため、請求項１に記載の直流給電システムは、直流負荷に接続する少なくとも一対のプラグコンタクトを有する電源プラグと、前記プラグコンタクトを挿抜自在に案内するプラグ挿入孔に、直流電源に接続するソケットコンタクトを臨ませたソケットとからなり、前記一対のプラグコンタクトがそれぞれ接触する一対のソケットコンタクトに印加される直流電圧の直流電源を、前記一対のプラグコンタクトが接続する直流負荷に給電する直流給電システムであって、ソケットは、ｍ（ｍは、３から始まる自然数）本のソケットコンタクトと、ｍ本の全てのソケットコンタクトについて、ｎ番目（ｎは、１からｍ−１までの自然数）のソケットコンタクトとｎ＋１番目のソケットコンタクトの間に、それぞれｎ番目のソケットコンタクトを低圧側と、ｎ＋１番目のソケットコンタクトを高圧側とする直流電圧Ｖｎを印加するｍ−１種類の直流電源とを備え、ｎ番目のソケットコンタクトとｎ＋ｋ（ｋは、１からｍ−ｎまでの自然数）番目の一対のソケットコンタクトにそれぞれ接触する一対のプラグコンタクトを介して、直流負荷に、【００１６】
【数１】
2019021343.tif 000003
【００１７】
の直流電圧の直流電源を給電することを特徴とする。【００１８】
ｍ本のソケットコンタクトから任意に選択するｎ番目とｎ＋ｋ番目の一対のソケットコンタクト間には、【００１９】
【数１】
2019021343.tif 000004
【００２０】
の直流電圧が印加されるので、
隣り合うソケットコンタクト間に印加するｍ−１種類の直流電圧Ｖｎが互いに異なる電圧であれば、共通する構成のソケットのいずれか１対のソケットコンタクトに一対のプラグコンタクトを接触させることによって、一対のプラグコンタクトを介して直流負荷に最大ｍＣ２通りの異なる直流電圧の直流電源が給電される。【００２１】
請求項２に記載の直流給電システムは、前記ｍ−１種類の直流電源から給電される直流電圧Ｖｎは、同一の直流電圧Ｖｃであることを特徴とする。【００２２】
ｍ−１種類の直流電源から給電される直流電圧Ｖｎは、同一の直流電圧Ｖｃであるので、  ｍ本のソケットコンタクトから任意に選択するｎ番目とｎ＋ｋ番目の一対のソケットコンタクト間には、Ｖｃ×ｋの直流電圧が印加され、
共通する構成のソケットのいずれか１対のソケットコンタクトに一対のプラグコンタクトを接触させることによって、一対のプラグコンタクトを介して直流負荷にｍ−１通りの異なる直流電圧の直流電源が給電される。【００２３】
請求項３に記載の直流給電システムは、【００２４】
【数１】
2019021343.tif 000005
【００２５】
の直流電圧が印加される一対のソケットコンタクトを、それぞれ、その直流電圧に一義的に対応する間隔でソケットに形成する一対の前記プラグ挿入孔に臨ませることを特徴とする。【００２６】
一対のプラグ挿入孔間の間隔と、そのプラグ挿入孔にそれぞれ臨ませた一対のソケットコンタクト間に印加される直流電圧が一義的に対応するので、その直流電圧で動作する機器に接続する電源プラグのプラグコンタクトの間隔を同一の直流電圧が印加される一対のソケットコンタクトが臨むプラグ挿入孔間の間隔に一致させれば、異なる直流電圧が印加される一対のソケットコンタクトが臨む一対のプラグ挿入孔へは挿入することができず、誤接続が防止される。【００２７】
請求項４に記載の直流給電システムは、【００２８】
【数１】
2019021343.tif 000006
【００２９】
の直流電圧が印加される一対のソケットコンタクトを、それぞれ、その直流電圧に比例する間隔でソケットに形成する一対の前記プラグ挿入孔に臨ませることを特徴とする。【００３０】
一対のプラグ挿入孔間の間隔と、そのプラグ挿入孔にそれぞれ臨ませた一対のソケットコンタクト間に印加される直流電圧が比例するので、その直流電圧で動作する機器に接続する電源プラグのプラグコンタクトの間隔を同一の直流電圧が印加される一対のソケットコンタクトが臨むプラグ挿入孔間の間隔に一致させれば、異なる直流電圧が印加される一対のソケットコンタクトが臨む一対のプラグ挿入孔へは挿入することができず、誤接続が防止される。【００３１】
請求項５に記載の直流給電システムは、ｍ本のソケットコンタクトをそれぞれ臨ませるｍ個のプラグ挿入孔を、低圧側から高圧側のソケットコンタクトの順で同一直線上にソケットに形成し、隣り合うｎ番目のソケットコンタクトを臨ませるプラグ挿入孔と、ｎ＋１番目のソケットコンタクトを臨ませるプラグ挿入孔の間隔を、ｎ番目のソケットコンタクトとｎ＋１番目のソケットコンタクトの間に印加される直流電圧Ｖｎに比例する間隔としたことを特徴とする。【００３２】
ｎ番目とｎ＋ｋ番目の一対のソケットコンタクトに印加される直流電圧【００３３】
【数１】
2019021343.tif 000007
【００３４】
は、その一対のソケットコンタクトを臨ませた一対のプラグ挿入孔の直線上の間隔に比例する。
従って、直流電圧【００３５】
【数１】
2019021343.tif 000008
【００３６】
で動作する機器に接続する電源プラグのプラグコンタクトの間隔を、同一の直流電圧が印加される一対のソケットコンタクトが臨むプラグ挿入孔間の間隔に一致させれば、一対のプラグコンタクトを一対のプラグ挿入孔へ挿入可能である限り、その一対のプラグ挿入孔に臨む一対のソケットコンタクトから、機器が動作する直流電圧の直流電源が給電される。一方、異なる直流電圧が印加される一対のソケットコンタクトをそれぞれ臨ませた一対のプラグ挿入孔の間隔は、前記一対のプラグコンタクトの間隔と異なるので、一対のプラグコンタクトを挿入できず、誤接続が防止される。【００３７】
請求項６に記載の直流給電システムは、ｎ番目のソケットコンタクトとｎ＋１番目のソケットコンタクトの間に印加される直流電圧Ｖｎは、１５Ｖ以下であり、
電源プラグは、一対のｎ番目のソケットコンタクトとｎ＋ｋ番目のソケットコンタクトの間のｎ＋１番目からｎ＋ｋ−１番目のｋ−１本のソケットコンタクトにそれぞれ接触し、一対のプラグコンタクトのいずれか一方に接続するｋ−１本のダミープラグコンタクトを有し、一対の低圧側プラグコンタクトをｎ番目のソケットコンタクトへ接触させた後、ｎ＋１番目からｎ＋ｋ番目のソケットコンタクトに、ｋ−１本のダミープラグコンタクトと一対の高圧側プラグコンタクトを順に接触させることを特徴とする。【００３８】
一対の低圧側プラグコンタクトをｎ番目のソケットコンタクトへ接触させた後、ｋ−１本のダミープラグコンタクトと一対の高圧側プラグコンタクトを、ｎ＋１番目からｎ＋ｋ番目のソケットコンタクトへ順に接触させる毎に、ｋ−１本のダミープラグコンタクトと高圧側プラグコンタクトの電位は、１５Ｖ以下の直流電圧Ｖｎで段階的に上昇し、ｎ＋１番目からｎ＋ｋ番目のソケットコンタクトと、ｋ−１本のダミープラグコンタクト及び高圧側プラグコンタクトとは、直流電圧Ｖｎの１５Ｖ以下で順に接触し、高圧側プラグコンタクトがｎ＋ｋ番目のソケットコンタクトに接触すると、一対のプラグコンタクトの間に、直流電圧１５Ｖ以上の【００３９】
【数１】
2019021343.tif 000009
【００４０】
の直流電圧の直流電源が給電される。【００４１】
請求項７に記載の直流給電システムは、ｎ番目のソケットコンタクトとｎ＋１番目のソケットコンタクトの間に印加される直流電圧Ｖｎは、１２Ｖであることを特徴とする。【００４２】
１２Ｖの倍数の直流電圧で動作する種々の機器に共通構成のソケットから直流電源を供給できる。【００４３】
ｋ−１本のダミープラグコンタクトがｎ＋１番目からｎ＋ｋ−１番目のｋ−１本のソケットコンタクトに接触する毎に、高圧側プラグコンタクトの電位は、直流１２Ｖの間隔で段階的に上昇し、ｎ＋ｋ番目のソケットコンタクトに接触する際には、そのソケットコンタクトとの電位差が直流１２Ｖ以下となり、アーク放電が発生しない。【００４４】
請求項８に記載の直流給電システムは、一対のプラグコンタクトとダミープラグコンタクトを、ソケットのソケットコンタクトに接触する順にソケットとの接続方向に突出させたことを特徴とする。【００４５】
ｍ本のソケットコンタクトを、電源プラグとの接続方向に沿って同一位置に配置して、一対のプラグコンタクトとダミープラグコンタクトの接続方向の突出長を変えるだけで、ソケットコンタクトとの接触タイミングを容易に調整できる。
【発明の効果】
【００４６】
請求項１の発明によれば、最大ｍＣ２通りの異なる直流電圧で動作する機器へ、同一構成のソケットから、機器が動作する直流電圧の直流電源を給電できる。従って、機器毎にその機器に適合する直流電圧の直流電源を出力するＡＣアダプタやＤＣ／ＤＣコンバータを用意する必要がない。【００４７】
請求項２の発明によれば、ｍ−１種類の異なる直流電圧で動作する機器へ、同一構成のソケットから、機器が動作する直流電圧の直流電源を給電できる。【００４８】
請求項３又は請求項４の発明によれば、同一構成の共用のソケットに対して、ソケットの形状を変えずに、動作する直流電圧が異なる機器にそれぞれ接続する多種類の電源プラグのプラグコンタクトを誤接続することなく、その直流電圧が印加されるソケットコンタクトへ接触させることができる。【００４９】
請求項５の発明によれば、一対のプラグコンタクトをソケットに同一直線上に形成するいずれか一対のプラグ挿入孔へ挿入できれば、その一対のプラグ挿入孔に臨む一対のソケットコンタクトから、機器が動作する直流電圧の直流電源が給電されるので、一対のプラグコンタクトを挿入する一対のプラグ挿入孔と同一間隔の他の一対のプラグ挿入孔へも挿入して接続できる。【００５０】
また、機器が動作する直流電圧と異なる直流電圧が印加される一対のソケットコンタクトへは、一対のプラグコンタクトを一対のプラグ挿入孔へ挿入して接触させることができないので、ソケットの構造を変えることなく、プラグコンタクトの誤挿入を防止できる。【００５１】
請求項６の発明によれば、アーク放電の発生頻度が高い１５Ｖ以上の直流電圧が印加される一対のソケットコンタクトへ一対のプラグコンタクトを接触させるまで、ソケットコンタクトとソケットコンタクトに接近するダミープラグコンタクト若しくは高圧側プラグコンタクト間の電圧がアーク放電が発生しやすい１５Ｖ以上とならないので、アーク放電が抑制される。【００５２】
請求項７の発明によれば、共通する同一構成のソケットを用いて、１２Ｖの倍数の直流電圧で動作する汎用機器にその直流電圧の直流電源を給電できる。【００５３】
また、一対のソケットコンタクト間の直流電圧が２４Ｖ以上であっても、アーク放電を発生させることなく、一対のソケットコンタクトに接触する一対のプラグコンタクトを介して、２４Ｖ以上の直流電圧の直流電源を給電できる。【００５４】
請求項８の発明によれば、一対のプラグコンタクトとダミープラグコンタクトの接続方向の突出長を変えるだけで、ソケットコンタクトとの接触タイミングを容易に調整できる。
【図面の簡単な説明】
【００５５】
【図１】本発明の第１実施の形態に係る直流給電システム１の全体を示すブロック図である。
【図２】直流給電システム１のいずれかのソケット１０に４８Ｖの直流電圧で動作する直流動作機器２に接続する電源プラグ２０を接続する状態を示すブロック図である。
【図３】電源プラグ２０の低圧側プラグピン２１を、ソケット１０の２番目のソケットコンタクト１１２に接触させた状態を示す縦断面図である。
【図４】電源プラグ２０の第１ダミープラグピン２３１を、ソケット１０の３番目のソケットコンタクト１１３に接触させた状態を示す縦断面図である。
【図５】電源プラグ２０の高圧側プラグピン２２をソケット１０の６番目のソケットコンタクト１１６へ接触させ、電源プラグ２０をソケット１０に完全に差し込み接続した状態を示す縦断面図である。
【図６】９６Ｖの直流電圧を給電する電源プラグ２５を、ソケット１０に差し込み接続した状態を示す縦断面図である。
【図７】１２Ｖの直流電圧を給電する電源プラグ２６を、ソケット１０に差し込み接続した状態を示す縦断面図である。
【図８】本発明の第２実施の形態に係る直流給電システム３０のソケット３１に、５Ｖの直流電圧を給電する電源プラグ４０を差し込み接続した状態を示す縦断面図である。
【図９】ソケット３１に、１２Ｖの直流電圧を給電する電源プラグ４１を差し込み接続した状態を示す縦断面図である。
【図１０】従来の直流給電システム１００のソケット１０１の正面図である。
【図１１】直流給電システム１００のソケット１０１の一部破断側面図である。
【発明を実施するための形態】
【００５６】
以下、本発明の一実施の形態に係る直流給電システム１を、図１乃至図７を用いて説明する。図１に示す様に、直流給電システム１は、商用交流電源に接続するＡＣ／ＤＣコンバータ５１、太陽電池５２、ＥＶ（電気自動車）のバッテリー５３により蓄電される電力を３７５Ｖの直流電圧で出力するＤＣバッテリーである直流電源５０と、直流電源５０に複数のＤＣ／ＤＣコンバータ３、３・・を介して接続し、宅内の壁面に電源プラグ２０、２５、２６との接続面を露出させた直流電源コンセントとなる複数のソケット１０と、異なる直流電圧の直流電源で動作する直流動作機器２にそれぞれ接続する複数の電源プラグ２０、２５、２６とを備え、直流動作機器２が異なる直流電圧で動作するものであっても、共通するいずれかソケット１０に電源プラグ２０、２５、２６を差し込み接続し、電源プラグ２０、２５、２６を介して各直流動作機器２が動作する直流電圧の直流電源を給電するシステムである。
【００５７】
ＤＣ／ＤＣコンバータ３、３・・を介して直流電源５０に接続する全てのソケット１０は、それぞれ同一の構成で形成され、直流動作機器２が配置される宅内の各部屋の壁面に電源プラグ２０、２５、２６を差し込み接続する接続面１５ａを臨ませて取付けられる。
【００５８】
図２に示す様に、複数の各ソケット１０は、それぞれ絶縁性のソケットハウジング１５に互いに絶縁して取付けられるｍ（ｍは、３から始まる自然数）本のソケットコンタクト１１を備えている。ソケット１０に取付けられるソケットコンタクト１１の本数ｍは、ソケット１０に差し込み接続する電源プラグ２０、２５、２６を介して直流電源が給電される各直流動作機器２が動作する直流電圧の種類数に応じて決定され、少なくとｍＣ２で算定される組み合わせ数が前記直流電圧の種類数を超える本数ｍとしている。ここでは、ソケットコンタクト１１の本数を、９本（ｍ＝９）とするので、同一構成のソケット１０から、最大９Ｃ２の７２通りの異なる直流電圧で動作する直流動作機器へ直流電源を給電できる。
【００５９】
直流電源５０に接続するＤＣ／ＤＣコンバータ３は、ソケットコンタクト１１のｎ番目（ｎは、１からｍ−１までの自然数）のソケットコンタクトとｎ＋１番目のソケットコンタクトの間に、ｎ番目のソケットコンタクトを低圧側と、ｎ＋１番目のソケットコンタクトを高圧側として直流電源５０の出力電圧を直流電圧Ｖｎに変換して印加するものであり、ｍ本（９本）の全てのソケットコンタクト１１について、ｎ番目とｎ＋１番目のソケットコンタクト１１の間に直流電圧Ｖｎを印加するように、直流電源５０にはｍ−１種類である８種類のＤＣ／ＤＣコンバータ３、３・・が各ソケットコンタクト１１との間に接続されている。これにより、最も低電位の１番目のソケットコンタクト１１１と最も高電位の９番目のソケットコンタクト１１９の間に８種類の直流電圧Ｖｎが直列に接続されることとなる。
【００６０】
各ＤＣ／ＤＣコンバータ３、３・・からｎ番目とｎ＋１番目のソケットコンタクト１１間に印加される直流電圧Ｖｎは、それぞれｎにより異なる直流電圧Ｖｎであってもよいが、ここでは同一の１２Ｖの直流電圧としている。従って、１番目のソケットコンタクト１１１の電位を接地電位（０Ｖ）として、ｎ番の順に１２Ｖ毎にソケットコンタクト１１ｎの電位が上昇し、９番目のソケットコンタクト１１９の電位は、９６Ｖとなっている。
【００６１】
一対の隣り合うｎ番目とｎ＋１番目のソケットコンタクト１１ｎ、１１ｎ＋１間に印加される直流電圧Ｖｎを全て１２Ｖとすることによって、後述するように、同一構成のソケット１０から異なる１２Ｖ単位の直流電圧の直流電源を給電することができ、ＩＴＵ−Ｔ（International Telecommunication Union-Telecommunication）に準拠して１２Ｖの単位で動作する既存の種々の直流動作機器２に対して、ソケット１０からその動作電圧の直流電源を給電可能となる。
【００６２】
全てのソケットコンタクト１１は、ソケットハウジング１５の接続面１５ａから凹設されたｍ個のプラグ挿入孔１４内にそれぞれ接触部を臨ませるようにソケットハウジング１５に固定され、プラグ挿入孔１４に挿入される電源プラグ２０のプラグピン２１、２２、２３と接触するようになっている。ｍ個のプラグ挿入孔１４の内、任意のｎ番目のソケットコンタクト１１ｎとｎ＋ｋ番目（ｋは、１からｍ−ｎまでの自然数）のソケットコンタクト１１ｎ＋ｋが臨む一対のプラグ挿入孔１４、１４間の間隔Ｄｋは、その一対のｎ番目のソケットコンタクト１１ｎとｎ＋ｋ番目のソケットコンタクト１１ｎ＋ｋ間の直流電圧
【００６３】
【数１】
2019021343.tif 000010
【００６４】
と一義的に対応する間隔となっている。
【００６５】
すなわち、一対のプラグ挿入孔１４、１４の間隔と電源プラグ２０の一対のプラグピン２１、２２間の間隔が同一間隔Ｄｋである場合にのみ、一対のプラグピン２１、２２を一対のプラグ挿入孔１４、１４に挿入してプラグ挿入孔１４、１４に臨む一対のｎ番目のソケットコンタクト１１ｎとｎ＋ｋ番目のソケットコンタクト１１ｎ＋ｋに接触自在で、一対のプラグピン２１、２２間には、その間隔Ｄｋと一義的に対応する
【００６６】
【数１】
2019021343.tif 000011
【００６７】
の直流電圧の直流電源が給電される。
【００６８】
本実施の形態では、ｍ個のプラグ挿入孔１４を、ソケットハウジング１５の接続面１５ａの同一直線上に開口させ、一対のプラグ挿入孔１４、１４間の直線に沿った間隔Ｄｋを、そのプラグ挿入孔１４、１４に臨む一対のｎ番目のソケットコンタクト１１ｎとｎ＋ｋ番目のソケットコンタクト１１ｎ＋ｋ間の直流電圧
【００６９】
【数１】
2019021343.tif 000012
【００７０】
に比例する間隔としている。
【００７１】
ここで、ｎ番目とｎ＋１番目のソケットコンタクト１１間に印加される直流電圧Ｖｎが、同一の１２Ｖの直流電圧であるので、９個のプラグ挿入孔１４は、ソケットハウジング１５の接続面１５ａに沿った直線上に等間隔で形成される。
【００７２】
ソケット１０に差し込み接続し、直流電圧で動作する直流動作機器２に直流電源を給電する電源プラグ２０、２５、２６は、複数のプラグコンタクト２１、２２、２３がソケット１０側に突出するように絶縁性のプラグハウジング２４に取り付けられ、本明細書では、それぞれ各プラグコンタクト２１、２２、２３が弾性を有しないピンで形成されているので、プラグコンタクト２１、２２、２３をプラグピン２１、２２、２３という。
【００７３】
複数のプラグピン２１、２２、２３のうち、高圧側プラグピン２２と低圧側プラグピン２１の各基端は、プラグハウジング２４内で電源ケーブル４の端末に接続し、高圧側プラグピン２２は、電源ケーブル４の高圧側電線４ａを介して直流電源で動作する電気機器の高圧側電源端子に、低圧側プラグピン２１は低圧側電線４ｂを介して低圧側電源端子に接続している。
【００７４】
また、低圧側プラグピン２１と高圧側プラグピン２２は、ソケット１０のプラグ挿入孔１４、１４に挿入してプラグ挿入孔１４、１４内に臨む一対のソケットコンタクト１１ｎ、１１ｎ＋ｋにそれぞれ接触するように絶縁性のプラグハウジング２４からソケット１０側に突出して取付けられる。
【００７５】
すなわち、４８Ｖの直流電圧で動作する直流動作機器２に直流電源を給電する電源プラグ２０は、一対のｎ番目とｎ＋ｋ番目のソケットコンタクト１１ｎ、１１ｎ＋ｋ間の直流電圧
【００７６】
【数１】
2019021343.tif 000013
【００７７】
が４８Ｖとなるｎ番目とｎ＋ｋ番目のソケットコンタクト１１ｎ、１１ｎ＋ｋに、低圧側プラグピン２１と高圧側プラグピン２２が接触するように、プラグハウジング２４から突出させる低圧側プラグピン２１と高圧側プラグピン２２間の間隔Ｄｋが設定されている。
【００７８】
ソケット１０のｎ番目とｎ＋１番目のソケットコンタクト１１ｎ、１１ｎ＋１間に印加される直流電圧Ｖｎは、全て同一の１２Ｖの直流電圧であるので、４８Ｖの直流電圧が印加されるのは、ｎ番目とｎ＋４番目の一対のソケットコンタクト１１ｎ、１１ｎ＋４であり、高側プラグピン２２と低圧側プラグピン２１の間隔Ｄｋを、各ソケットコンタクト１１ｎ、１１ｎ＋４が臨むプラグ挿入孔１４、１４間の間隔Ｄ４と同一間隔とする。
【００７９】
このように間隔ＤｋをＤ４に設定した電源プラグ２０の高圧側プラグピン２２と低圧側プラグピン２１は、９個のプラグ挿入孔１４のうち、３個のプラグ挿入孔１４を挟む両側の間隔Ｄ４のいずれの一対のプラグ挿入孔１４、１４へも挿入可能で、プラグ挿入孔１４、１４へ挿入すると、その内方に臨むソケットコンタクト１１ｎ、１１ｎ＋４に接触し、４８Ｖの直流電圧の直流電源が給電される。すなわち、電源プラグ２０の高圧側プラグピン２２と低圧側プラグピン２１は、ソケット１０の１番目のソケットコンタクト１１１と５番目のソケットコンタクト１１５、２番目のソケットコンタクト１１２と６番目のソケットコンタクト１１６、３番目のソケットコンタクト１１３と７番目のソケットコンタクト１１７、４番目のソケットコンタクト１１４と８番目のソケットコンタクト１１８、５番目のソケットコンタクト１１５と９番目のソケットコンタクト１１９が臨むいずれのプラグ挿入孔１４、１４にも挿入可能で、プラグ挿入孔１４、１４に臨むこれらのソケットコンタクト１１ｎ、１１ｎ＋４に接触し、４８Ｖの直流電圧の直流電源が給電される。
【００８０】
ここで、高圧側プラグピン２２の電位は、低圧側プラグピン２１が接触するソケットコンタクト１１ｎの電位若しくは接地電位であり、高圧側プラグピン２２が接触するソケットコンタクト１１ｎ＋４とは、少なくとも４８Ｖ以上の電位差が生じている。一般に近接する高圧側プラグピン２２とソケットコンタクト１１ｎ＋４間の電位差をＶ、近接する両者の絶縁間隔を隔てて両者に流れる電流をＩとして、両者の間に蓄積される電気エネルギーＥ（Ｅ＝∫Ｖ・Ｉｄｔ）が一定の境界値を超えると、その間にアーク放電が発生し、その境界値は、例えば電位差Ｖが１５Ｖ、電流Ｉが２Ａを超える場合にアーク放電の発生すると考えられている。そこで、本実施の形態では、高圧側プラグピン２２がソケットコンタクト１１ｎ＋４に接近する際のアーク放電の発生を防止するために、図２に示すように、高圧側プラグピン２２と低圧側プラグピン２１の間に、一対のソケットコンタクト１１ｎ、１１ｎ＋４間のソケットコンタクト１１ｎ＋１、１１ｎ＋２、１１ｎ＋３にそれぞれ接触する３本のダミーフラグピン２３をプラグハウジング２４に取付けている。
【００８１】
図２に示す様に、３本のダミーフラグピン２３の低圧側プラグピン２１から高圧側プラグピン２２に向かって、第１ダミープラグピン２３１、第２ダミープラグピン２３２、第３ダミープラグピン２３３は、それぞれソケットコンタクト１１ｎ＋１、１１ｎ＋２、１１ｎ＋３が臨むプラグ挿入孔１４に挿入する位置に突出され、いずれもその基端は、プラグハウジング２４内で抵抗Ｒを介して高圧側プラグピン２２に接続している。
【００８２】
また、５本のプラグピン２１、２２、２３がプラグハウジング２４からソケット１０側に突出する突出長は、低圧側プラグピン２１が最も長く、以下、第１ダミープラグピン２３１、第２ダミープラグピン２３２、第３ダミープラグピン２３３、高圧側プラグピン２２の順に短くなっている。一方、これらのプラグピン２１、２２、２３が接触する相手側のソケットコンタクト１１ｎ〜１１ｎ＋４は、各プラグ挿入孔１４内で電源プラグ２０との接続方向に向かって同一位置に臨むように構成されているので、低圧側プラグピン２１、第１ダミープラグピン２３１、第２ダミープラグピン２３２、第３ダミープラグピン２３３、高圧側プラグピン２２の順に対応する相手側のソケットコンタクト１１ｎ〜１１ｎ＋４に接触する。
【００８３】
このように構成された電源プラグ２０の高圧側プラグピン２２と低圧側プラグピン２１を、２番目のソケットコンタクト１１２と６番目のソケットコンタクト１１６が臨むプラグ挿入孔１４、１４へ挿入し、プラグ挿入孔１４、１４内で接触する一対のソケットコンタクト１１２、１１６から４８Ｖの直流電圧で動作する直流動作機器２へ４８Ｖの直流電圧の直流電源を給電する接続過程を図３乃至図５で説明する。
【００８４】
図３に示す様に、電源プラグ２０をソケット１０へ差し込み接続する過程では、始めにソケット１０側に最も突出する低圧側プラグピン２１がプラグ挿入孔１４内に臨むソケットコンタクト１１２に接触し、低圧側プラグピン２１の電位は、ソケットコンタクト１１２の電位の１２Ｖとなる。この状態で１２Ｖの電位の低圧側プラグピン２１に接続する直流動作機器２や電源プラグ２０の他のプラグピン２２、２３は、他の電位に接続していないので、他のプラグピン２２、２３の電位も１２Ｖとなっている。
【００８５】
更に電源プラグ２０をソケット１０への差し込み方向へ移動させると、低圧側プラグピン２１の次の長さで突出する第１ダミープラグピン２３１がソケットコンタクト１１３に接近する。ソケットコンタクト１１３の電位は、２４Ｖであるが、第１ダミープラグピン２３１の電位は１２Ｖとなっているので、その間の電圧は、アーク放電が発生する境界値の１５Ｖ以下の１２Ｖであり、近接する第１ダミープラグピン２３１とソケットコンタクト１１３との間にアーク放電は発生しない。
【００８６】
第１ダミープラグピン２３１が３番目のソケットコンタクト１１３に接触する図４に示す状態では、２４Ｖの電位のソケットコンタクト１１３から、抵抗Ｒ、高圧側電力線４ａ、直流動作機器２、低圧側電力線４ｂ及び低圧側プラグピン２１を経由して１２Ｖの電位の２番目のソケットコンタクト１１２へ直流電流が流れ、この間、抵抗Ｒと直流動作機器２内の浮遊容量等のリアクタンスによる過渡現象で、次に４番目のソケットコンタクト１１４に接近する第２ダミープラグピン２３２の電位は、１２Ｖから第１ダミープラグピン２３１の２４Ｖに向かって上昇する。
【００８７】
４番目のソケットコンタクト１１４の電位は、３６Ｖであるので、第２ダミープラグピン２３２がソケットコンタクト１１４に近接するまでに第２ダミープラグピン２３２の電位が１２Ｖから十分な電位まで上昇していない場合や、逆に急激に２４Ｖまで上昇した場合には、ソケットコンタクト１１４との間でアーク放電が発生する恐れがあり、第２ダミープラグピン２３２の電位上昇速度を調整してアーク放電の発生を防止する。
【００８８】
第２ダミープラグピン２３２の電位上昇速度は、抵抗Ｒと直流動作機器２内のリアクタンスで決定される時定数に依存し、直流動作機器２のリアクタンスは直流動作機器２毎の固有値であるので、直流動作機器２毎にその直流動作機器２に接続する電源プラグ２０側の抵抗Ｒの抵抗値を調整する。具体的には、標準的な電源プラグ２０をソケット１０へ差し込み接続する標準的な速度で、第１ダミープラグピン２３１が３番目のソケットコンタクト１１３に接触した後、次の第２ダミープラグピン２３２が４番目のソケットコンタクト１１４に近接する際に、第２ダミープラグピン２３２の電位が２４Ｖに達するように抵抗Ｒの抵抗値を調整する。その結果、４番目のソケットコンタクト１１４と第２ダミープラグピン２３２との電位差は１２Ｖとなり、両者が近接してもアーク放電は発生しない。
【００８９】
同様に、図５に示す電源プラグ２０の高圧側プラグピン２２が６番目のソケットコンタクト１１６に接触させるまでの過程で、第３ダミープラグピン２３３と５番目のソケットコンタクト１１５、高圧側プラグピン２２と６番目のソケットコンタクト１１６も近接するが、いずれも近接する状態では、近接する両者の電位差は１２Ｖとなるので、アーク放電は発生しない。
【００９０】
尚、電源プラグ２０をソケット１０から引き抜く際にも、高圧側プラグピン２２から第３ダミープラグピン２３３、第２ダミープラグピン２３２、第１ダミープラグピン２３１、低圧側プラグピン２１の順に最大１２Ｖの電位差で接触していた対応するソケットコンタクト１１から分離されるので、引き抜く際にもアーク放電は発生しない。
【００９１】
図５に示す様に、高圧側プラグピン２２を５番目のソケットコンタクト１１５に接触させた電源プラグ２０をソケット１０へ完全に差し込み接続した状態では、直流動作機器２の内部抵抗を６Ωとして、６０Ｖの電位のソケットコンタクト１１６から、高圧側電力線４ａ、直流動作機器２、低圧側電力線４ｂ及び低圧側プラグピン２１を経由して１２Ｖの電位の２番目のソケットコンタクト１１２へ８Ａの直流電流が流れ、直流動作機器２に４８Ｖの直流電圧の直流電源が給電される。
【００９２】
上述と同一構成のソケット１０に差し込み接続し、９６Ｖの直流電圧で動作する直流動作機器２に直流電源を給電する電源プラグ２５は、ソケット１０の隣り合うソケットコンタクト１１間に印加される直流電圧Ｖｎが全て同一の１２Ｖの直流電圧であるので、一対のｎ番目とｎ＋ｋ番目のソケットコンタクト１１ｎ、１１ｎ＋ｋ間の直流電圧が９６Ｖとなるのは、ｎが１、ｋが８である１番目と９番目の一対のソケットコンタクト１１１、１１９であり、図６に示す様に、高圧側プラグピン２２と低圧側プラグピン２１の間隔Ｄｋを、１番目と９番目の一対のソケットコンタクト１１１、１１９がそれぞれ臨むプラグ挿入孔１４、１４間の間隔Ｄ８とする。
【００９３】
このように間隔ＤｋをＤ８に設定した電源プラグ２５の高圧側プラグピン２２と低圧側プラグピン２１を、一対のソケットコンタクト１１１、１１９がそれぞれ臨むプラグ挿入孔１４、１４へ挿入し、図６に示す様に、一対のソケットコンタクト１１１、１１９へ接触させると、直流動作機器２の内部抵抗を６Ωとして、９６Ｖの電位のソケットコンタクト１１９から、高圧側電力線４ａ、直流動作機器２、低圧側電力線４ｂ及び低圧側プラグピン２１を経由して０Ｖの電位の１番目のソケットコンタクト１１１へ１６Ａの直流電流が流れ、直流動作機器２に９６Ｖの直流電圧の直流電源が給電される。
【００９４】
この電源プラグ２５においても、９６Ｖの電位のソケットコンタクト１１９に接地電位の高圧側プラグピン２２が接近してその間にアーク放電が発生しないように、上述の電源プラグ２０と同様に、高圧側プラグピン２２と低圧側プラグピン２１の間に、ソケットコンタクト１１１、１１９間のソケットコンタクト１１２〜１１８にそれぞれ接触する７本のダミーフラグピン２３をプラグハウジング２４に取り付けるとともに、全てのプラグピン２１、２２、２３のプラグハウジング２４からの突出長を異ならせて、１２Ｖの電圧毎に順にプラグピン２１、２２、２３がソケットコンタクト１１に接触するようにしている。
【００９５】
更に、上述と同一構成のソケット１０に電源プラグ２６を差し込み接続して、１２Ｖの直流電圧で動作する直流動作機器２に直流電源を給電する場合には、ソケット１０の隣り合うソケットコンタクト１１ｎ、１１ｎ＋１間に印加される直流電圧Ｖｎが全て同一の１２Ｖの直流電圧であるので、図７に示す様に、電源プラグ２６の高圧側プラグピン２２と低圧側プラグピン２１の間隔Ｄｋを、一対の隣り合うｎ番目とｎ＋１番目のソケットコンタクト１１ｎ、１１ｎ＋１がそれぞれ臨むプラグ挿入孔１４、１４間の間隔Ｄ１と同一間隔とする。
【００９６】
この電源プラグ２６は、一対の高圧側プラグピン２２と低圧側プラグピン２１を、ソケット１０の８種類の異なる位置のプラグ挿入孔１４、１４へ挿入可能であり、一対の隣り合うｎ番目とｎ＋１番目のソケットコンタクト１１ｎ、１１ｎ＋１に接触することによって、直流動作機器２に１２Ｖの直流電圧の直流電源が給電される。
【００９７】
上述の第１実施の形態にかかるソケット１０は、隣り合うｎ番目とｎ＋１番目のソケットコンタクト１１ｎ、１１ｎ＋１間に印加される直流電圧Ｖｎを、全て同一の１２Ｖの直流電圧とし、各ソケットコンタクト１１ｎ、１１ｎ＋１が臨むプラグ挿入孔１４、１４間の間隔Ｄを同一直線上の等間隔の位置に形成しているので、ｍ本のソケットコンタクト１１をソケットハウジング１５に取り付けて、同一の構成のソケット１０からは、１２Ｖの倍数のｍ−１種類の直流電圧の直流電源のみ給電することができる。
【００９８】
第２実施の形態にかかる直流給電システム３０は、ソケット３１の隣り合うｎ番目とｎ＋１番目のソケットコンタクト１１ｎ、１１ｎ＋１間に印加される直流電圧Ｖｎの一部を異なる直流電圧Ｖｎにするとともに、各ソケットコンタクト１１ｎ、１１ｎ＋１が臨むプラグ挿入孔１４、１４間の一部の間隔Ｄも異なる間隔Ｄ１０、３Ｄ１０、４Ｄ１０とし、同一構成のソケット３１から、ソケットハウジング１５に取り付けられるソケットコンタクト１１の本数ｍ以上の異なる直流電圧の直流電源を給電可能としたものである。
【００９９】
以下、この第２実施の形態に係る直流給電システム３０に用いられるソケット３１を、図８と図９を用いて説明する。尚、この直流給電システム３０の説明において、第１実施の形態にかかる直流給電システム１と同一若しくは同様に作用する構成については、同一の番号を用いてその説明を省略する。
【０１００】
これらの図に示すように、ソケット３１のソケットハウジング１５には、４本（ｍ＝４）のソケットコンタクト１１が互いに絶縁して取り付けられ、このうち、１番目と２番目のソケットコンタクト１１１、１１２に５Ｖの直流電圧（Ｖ１）が、２番目と３番目のソケットコンタクト１１２、１１３に７Ｖの直流電圧（Ｖ２）が、３番目と４番目のソケットコンタクト１１３、１１４に１２Ｖの直流電圧（Ｖ３）が、それぞれ直流電源５０から印加される。
【０１０１】
隣り合う１番目と２番目のソケットコンタクト１１１、１１２間に印加される直流電圧Ｖ１を５Ｖしたのは、ＵＳＢ接続で５Ｖの直流電圧で動作する直流動作機器２にソケット３１から給電するためであり、このように、隣り合うｎ番目とｎ＋１番目のソケットコンタクト１１ｎ、１１ｎ＋１間に印加される直流電圧Ｖｎを、３種類の５Ｖ（Ｖ１）、７Ｖ（Ｖ２）、１２Ｖ（Ｖ３）とすることによって、同一構成の４本のソケットコンタクト１１が取り付けられたソケット３１から、５Ｖ、７Ｖ、１２Ｖ、１９Ｖ、２４Ｖの５種類の直流電圧の直流電源を直流動作機器２へ給電できる。
【０１０２】
また、４本の各ソケットコンタクト１１を内方に臨ませる４個のプラグ挿入孔１４は、ソケットハウジング１５の接続面１５ａに沿った同一直線上に開口し、１番目と２番目のソケットコンタクト１１１、１１２が臨むプラグ挿入孔１４、１４間の直線に沿った間隔をＤ１０とし、２番目と３番目のソケットコンタクト１１２、１１３が臨むプラグ挿入孔１４、１４間の直線に沿った間隔を３Ｄ１０、３番目と４番目のソケットコンタクト１１３、１１４が臨むプラグ挿入孔１４、１４間の直線に沿った間隔を４Ｄ１０としている。
【０１０３】
つまり、このソケット３１では、一対のｎ番目のソケットコンタクト１１ｎとｎ＋ｋ番目のソケットコンタクト１１ｎ＋ｋ間の直流電圧
【０１０４】
【数１】
2019021343.tif 000014
【０１０５】
と、その一対のソケットコンタクト１１ｎ、１１ｎ＋ｋが臨むプラグ挿入孔１４、１４間の間隔とは、一義的に定まる関係（プラグ挿入孔１４、１４間の間隔と、そのプラグ挿入孔１４、１４にそれぞれ臨む一対のソケットコンタクト１１ｎ、１１ｎ＋ｋ間の直流電圧が１対１の関係）にあるが、ソケット１０のように比例関係にはない。
【０１０６】
従って、５Ｖの直流電圧で動作する直流動作機器２に直流電源を給電する電源プラグ４０は、図８に示す様に、プラグハウジング２４から突出させる低圧側プラグピン２１と高圧側プラグピン２２の間隔Ｄｋを、５Ｖの直流電圧が印加される１番目と２番目のソケットコンタクト１１１、１１２がそれぞれ臨むプラグ挿入孔１４、１４間の間隔Ｄ１０ど同一の間隔とすることにより、このプラグ挿入孔１４、１４にのみ挿入することができ、それぞれ１番目と２番目のソケットコンタクト１１１、１１２に接触し、５Ｖの直流電圧の直流電源を直流動作機器２へ給電できる。
【０１０７】
また、１２Ｖの直流電圧で動作する直流動作機器２に直流電源を給電する電源プラグ４１は、図９に示す様に、電源プラグ４１の高圧側プラグピン２２と低圧側プラグピン２１間の間隔を、その間に１２Ｖの直流電圧が印加される１番目と３番目のソケットコンタクト１１１、１１３若しくは３番目と４番目のソケットコンタクト１１３、１１４が臨む一対のプラグ挿入孔１４、１４の間隔４Ｄ１０と同一の間隔とし、一対の高圧側プラグピン２２と低圧側プラグピン２１を、１番目と３番目のソケットコンタクト１１１、１１３若しくは３番目と４番目のソケットコンタクト１１３、１１４が臨むプラグ挿入孔１４、１４のみに挿入可能として、１２Ｖの直流電圧の直流電源を直流動作機器２へ給電する。
【０１０８】
尚、上述の電源プラグ４０、４１は、ソケットコンタクト１１と高圧側プラグピン２２との電位差が最大１２Ｖであるが、電位差が１５Ｖ以上であっても、必ずしもアーク放電防止のためにダミープラグピン２３を設ける必要はない。
【０１０９】
上述の各実施の形態では、各図に示す上方側のソケットコンタクト１１が高電位となるので、電源プラグを図中上方が高圧側プラグピン２２と下方が低圧側プラグピン２１となる姿勢でソケット１０、３１へ差し込み接続するが、上下方向に逆転する姿勢で電源プラグの高圧側プラグピン２２と低圧側プラグピン２１がソケット１０、３１の一対のプラグ挿入孔１４、１４に挿入されないように、ソケットハウジング１５とプラグハウジング２４間若しくはプラグ挿入孔１４、１４と一対のプラグピン２１、２２間の嵌合形状を上下方向で非対称形状とする逆挿入防止構造を設けてもよい。
【０１１０】
また、上述の実施の形態では、共通の直流電源５０に、ｎ番目とｎ＋１番目のソケットコンタクト１１ｎ、１１ｎ＋１間毎にそれぞれ直流電圧Ｖｎを印加するｍ−１種類のＤＣ／ＤＣコンバータ３を接続しているが、１番目とｍ番目のソケットコンタクト１１１、１１ｍ間に直列に直流電圧Ｖｎを接続できれば、ｎ番目とｎ＋１番目のソケットコンタクト１１ｎ、１１ｎ＋１間毎に直流バッテリーなどの異なる種類の直流電源を接続してもよい。
【０１１１】
また、ソケットコンタクト１１は、ｎ番の順（電位の順）にソケットハウジング１５の同一直線上の一方向に取り付けられているが、一対のｎ番目のソケットコンタクト１１ｎとｎ＋ｋ番目のソケットコンタクト１１ｎ＋ｋ間の直流電圧
【０１１２】
【数１】
2019021343.tif 000015
【０１１３】
と、その一対のソケットコンタクト１１ｎ、１１ｎ＋ｋが臨むプラグ挿入孔１４、１４間の間隔が一義的に定まる関係にあれば、ソケットコンタクト１１の取り付け位置やソケットコンタクト１１を臨ませるプラグ挿入孔１４の形成位置は任意の位置とすることができる。
【産業上の利用可能性】
【０１１４】
共通構成のソケットから複数の異なる直流電圧の直流電源をソケットに差し込み接続する電源プラグを介して直流動作機器へ給電する直流給電システムに適している。
【符号の説明】
【０１１５】
１  直流給電システム（第１実施の形態）
１０  ソケット（第１実施の形態）
１１  ソケットコンタクト
１１ｎ  ｎ番目のソケットコンタクト
２０  プラグ（４８Ｖ給電）
２１  低圧側プラグピン
２２  高圧側プラグピン
２３  ダミープラグピン
２５  プラグ（９６Ｖ給電）
２６  プラグ（１２Ｖ給電）
３０  直流給電システム（第２実施の形態）
３１  ソケット（第２実施の形態）
４０  プラグ（５Ｖ給電）
４１  プラグ（１２Ｖ給電）
【図１】
2019021343.tif 000020
【図２】
2019021343.tif 000021
【図３】
2019021343.tif 000022
【図４】
2019021343.tif 000023
【図５】
2019021343.tif 000024
【図６】
2019021343.tif 000025
【図７】
2019021343.tif 000026
【図８】
2019021343.tif 000027
【図９】
2019021343.tif 000028
【図１０】
2019021343.tif 000029
【図１１】
2019021343.tif 000030
【国際調査報告】
2019021343.tif 000031
2019021343.tif 000032